【事件の表示】
　特願２００２−２８６３０３「洗濯機」拒絶査定不服審判事件〔平成１６年　４月２２日出願公開、特開２００４−１２１３２２〕について、次のとおり審決する。
【結　論】
　本件審判の請求は、成り立たない。
【理　由】
１．手続の経緯 
　本願は、平成１４年９月３０日の出願であって、平成１６年１１月１６日付けで拒絶査定がなされ（同月２４日発送）、これに対し、同年１２月２２日に審判請求がなされるとともに、平成１７年１月７日付けで手続補正がなされたが、これは当審において平成１９年６月５日付けの補正の却下の決定により却下された。そして、当審により平成１９年６月１９日付けで拒絶の理由が通知され、これに対して、同年８月２７日付けで意見書が提出されるとともに手続補正がなされたものである。
　　　　　　　　　　　　　　
２．本願発明 
　本願の特許請求の範囲の請求項１に係る発明は、平成１９年８月２７日付けの手続補正により補正された特許請求の範囲の請求項１に記載された次の事項により特定されるものである（以下、「本願発明」という。）。
　
「洗濯槽が収納された外箱と、
　前記外箱の上端部に設けられ、前記洗濯槽内に洗濯物を投入する投入口を有するトップカバーと、
　前記洗濯槽内に水を注入するものであって、箱状の注水ケースからなる注水部と、
　前記注水部に水を供給する給水部と、
　前記洗濯槽内に風を送るものであって、前記トップカバー内に設けられ吸込口および吐出口を有するファンケーシングと前記ファンケーシング内に設けられ前記吸込口から空気を吸引して前記吐出口から吐出するファンと前記ファンケーシングに設けられ前記ファンを駆動するファンモータと前記ファンケーシング内に設けられ前記ファンケーシング内の空気を加熱するヒータを有する送風部を備え、
　前記給水部と前記注水部と前記送風部とは、前記トップカバー内に前記トップカバーの左右方向に沿って左から前記給水部，前記注水部，前記送風部の順序または右から前記給水部，前記注水部，前記送風部の順序で配列され、
　前記吐出口と前記ファンと前記ファンモータと前記ヒータとは、長方形または正方形の四隅部に位置するように前記ファンケーシングに設けられていることを特徴とする洗濯機。」
　
３．引用刊行物
　当審での拒絶の理由に引用した引用例は次の刊行物である。
引用例１：特開２００１−３１００９６号公報
引用例２：特開２００１−１６２０９１号公報
引用例３：特開平４−３４７１９９号公報
　　
（１）引用例１（特開２００１−３１００９６号公報）に記載された事項
　引用例１には次の事項が図面とともに記載されている。
ア．「【請求項１】  筐体内部に弾性的に吊支した外槽と、回転中心軸を鉛直方向に有し前記外槽内に回転自在に支持し洗濯物を収容する内槽と、前記内槽内に給水する給水部材と、前記内槽内に送風する送風手段と、前記送風手段により送風される空気を加熱する加熱手段と、温風送風口を有し前記送風手段による送風を内槽内に導く送風経路とを備え、前記加熱手段を前記給水部材より高位置に配置した洗濯乾燥機。
【請求項２】  送風経路は、逆Ｕ字状に形成し、前記送風経路の上部平坦部内に加熱手段を配置し、前記加熱手段の下方の空間に給水部材を配設した請求項１記載の洗濯乾燥機。
【請求項３】  送風経路は、逆Ｕ字状に形成した上部平坦部内の最下面から下方に傾斜して、内槽内に臨む温風送風口に連結した請求項１または２記載の洗濯乾燥機。
【請求項４】  筐体内部に弾性的に吊支した外槽と、回転中心軸を鉛直方向に有し前記外槽内に回転自在に支持し洗濯物を収容する内槽と、前記内槽内に送風する送風手段と、前記送風手段により送風される空気を加熱する加熱手段と、温風送風口を有し前記送風手段による送風を内槽内に導く送風経路と、前記内槽内に給水する給水手段と、風呂水を吸水し前記内槽内に給水するポンプ手段とを備え、前記送風手段、加熱手段、送風経路、給水手段およびポンプ手段を前記内槽の上方に設けたパネル内空間に配置し、かつ前記給水手段およびポンプ手段を支持部材を介して支持した洗濯乾燥機。
【請求項５】  内槽内の水位を検知する水位検知手段と、外槽の動きを検知する安全検知手段とを備え、給水手段およびポンプ手段をパネルとは別の支持部材に取り付け、前記支持部材の下部空間に前記水位検知手段、安全検知手段の少なくともいずれか一方を配置した請求項４記載の洗濯乾燥機。」（特許請求の範囲） 
　 
イ．「乾燥用送風機（送風手段）３０は、乾燥のために内槽２７内に温風を送風するもので、ヒータ（加熱手段）３１により加熱された温風を内槽２７内に送風するように構成し、乾燥用送風機３０およびヒータ３１と、乾燥用送風機３０による送風を内槽２７内に導く送風経路３２とで温風送風装置３３を構成している。ここで、送風経路３２は逆Ｕ字状に形成し、送風経路３２の上部平坦部３２ａ内にヒータ３１を配置している。また、送風経路３２は、図２に示すように、逆Ｕ字状に形成した上部平坦部３２ａ内の最下面から下方になだらかに傾斜する傾斜面３２ｂを有している。
 熱交換部３４は、一端を接続ダクト３５を介して外槽２２の底部に連結するとともに、他端を温風送風装置３３に連結し、乾燥行程で内部を通過する高湿の温風を空冷または水冷により冷却して除湿するものである。」（段落【００２８】〜【００２９】） 
　
ウ．「温風送風口３７を伸縮自在な蛇腹ホース３９を介して送風経路３２に連結し、」（段落【００３１】）
　
エ．「給水部材４１は、洗剤投入部４２を引き出し可能に設け、この洗剤投入部４２に洗剤を投入しておき、給水弁（給水手段）４３より給水ダクト４４を通して給水される水を洗剤投入部４２に給水して洗剤を溶解し、洗剤を溶解した水を蛇腹ホース４０を通して給水口３８から内槽２７内に供給するよう構成している。ここで、給水部材４１は、逆Ｕ字状に形成した送風経路３２の下部、すなわちヒータ３１の下方の空間に配設している。」（段落【００３２】）
　
オ．「同時に、乾燥用送風機３０により、ヒータ３１を通過させて加熱した温風を、蛇腹ホース３９を経由して、温風送風口３７より内槽２７内へ送り込む。・・・（中略）・・・　温風送風口３７より内槽２７内へ送り込まれた温風は、内槽２７内にて衣類を暖めてその水分を蒸発させた後、内槽２７と外槽２２の間に出て、外槽２２の底部より接続ダクト３５を通り、熱交換部３４を経由して温風送風装置３３に戻る経路を循環する。」（段落【００３９】〜【００４０】）
　
カ．「（実施例２）図４および図５に示すように、下部パネル４８ａは、筐体（図示せず）の上部（内槽の上方）に取り付け、この下部パネル４８ａの上面を上部パネル４９ａにより覆い、下部パネル４８ａと上部パネル４９ａにより囲まれるパネル内空間５０ａに、温風送風装置３３、温風送風装置３３の下方に設けた給水部材４１、給水弁４３、風呂水を吸水して内槽内に給水する吸水ポンプ５１などを配置している。
給水弁４３と吸水ポンプ５１は、下部パネル４８ａに一体に設けた支持部材５２に固定して支持し、上部パネル４９ａの上面に設けた穴５３を通して、上部パネル４９ａの上面に給水弁４３のホース接続部４３ａと、吸水ポンプ５１のホース接続部５１ａとを突出させ、それぞれ外部より給水ホース（図示せず）を接続するよう構成している。」（段落【００４６】〜【００４７】）
　
キ．「・・・上記実施例と同様にして運転を開始すると、まず、給水弁４３を開いて吸水ポンプ５１内に呼び水を給水した後、吸水ポンプ５１を動作させて内槽内に風呂水を給水する。その後の動作は上記実施例１の動作と同じである。また、吸水ポンプ５１が故障して、内槽内へ給水がつづいた場合には、給水口３８より上まで上がってきた水は給水部材４１まで浸入し、給水部材４１より溢水し、機外に排出される。このとき、温風送風装置３３を構成するヒータは給水部材４１の上方にあるので、水はヒータの位置まで上がることはなく、絶縁抵抗が低下することがなく、安全性を確保することができる。」（段落【００５０】〜【００５１】）
　
ク．「（実施例３）図６および図７に示すように、下部パネル４８ｂは、筐体（図示せず）の上部（内槽の上方）に取り付け、この下部パネル４８ｂの上面を上部パネル４９ｂにより覆い、下部パネル４８ｂと上部パネル４９ｂにより囲まれるパネル内空間５０ｂに、温風送風装置３３、温風送風装置３３の下方に設けた給水部材４１、給水弁４３、吸水ポンプ５１などを配置している。」（段落【００５４】）
　
ケ．図面には、給水部材４１が、箱状のケースからなる点が記載されている。
　 
　上記摘示事項及び図面に記載によれば、引用例１には、次の発明が記載されている（以下、「引用発明１」という。）。
　 
「　内槽２７が収納された筐体２１と、
　前記筐体の上部に取り付けられた下部パネル４８ａと、この下部パネル４８ａの上面を覆う上部パネル４９ａと、
　前記内槽内に給水する箱状のケースからなる給水部材４１と、
　前記給水部材４１に水を供給する吸水ポンプ５１と給水弁４３と、
　前記内槽内に温風を送風する温風送風装置３３とを備え、
　該温風送風装置３３は、ヒータ３１、送風径路３２及びヒータ３１に風を供給する乾燥用送風機３０を有し、熱交換部３４の他端と連結し、送風径路３２端部は蛇腹ホース３９に連結するものであり、
　前記吸水ポンプ５１と給水弁４３と、前記給水部材４１と前記温風送風装置３３を構成する乾燥用送風機３０とは、下部パネル４８ａと上部パネル４９ａにより囲まれるパネル内空間５０ａに、そのパネル内空間５０ａの左右方向に沿って左から前記吸水ポンプ５１と給水弁４３，前記給水部材４１，前記乾燥用送風機３０の順序で配列されており、前記温風送風装置３３を構成するヒータ３１は給水部材４１の上方にある送風径路３２の上部平坦部３２ａ内に配置した洗濯乾燥機。」
　
（２）引用例２（特開２００１−１６２０９１号公報）に記載された事項
　引用例２には次の事項が図面とともに記載されている。
コ．「【請求項２】  略矩形箱状をなすキャビネットと、
前記キャビネット内に設けられた略円筒状の水受槽と、
前記水受槽内に設けられ、前記水受槽内に通じる洗濯物の投入用のドラムと、
前記キャビネット内に設けられ、前記ドラム内の洗濯物を乾かす乾燥装置と、
前記ドラムを回転駆動することに基づいて前記洗濯物を上方へ持上げて下方へ落下させる洗濯モータと、
水道の蛇口に接続される給水弁と、
前記水道の蛇口とは別の水源から水を汲出す給水ポンプと、
前記水源からの水を受けて前記水受槽内に注入する注水ケースとを備え、
前記給水弁と前記給水ポンプと前記注水ケースとは、前記キャビネット内の隅部に前記乾燥装置の反対側に位置して設けられていることを特徴とするドラム式洗濯機。」（特許請求の範囲、請求項２） 
　　 
サ．「給水ポンプ３６と給水弁６１と注水ケース６６とを乾燥装置９５の反対側に配置した。このため、乾燥装置９５の特に温風ヒータ１０９から給水ポンプ３６のポンプモータ４３に熱影響が作用し難くなるので、ポンプモータ４３の異常昇温が防止され、信頼性が向上する。しかも、ポンプモータ４３の巻線等の絶縁階級を上げる必要がなくなるので、コストが抑えられる。」（段落【００６１】） 
　
　上記摘示事項及び図面に記載によれば、引用例２には、次の発明が記載されている（以下、「引用発明２」という。）。
　
「水道の蛇口に接続される給水弁と、
前記水道の蛇口とは別の水源から水を汲出す給水ポンプと、
前記水源からの水を受けて前記水受槽内に注入する注水ケースとを備え、
前記給水弁と前記給水ポンプと前記注水ケースとは、キャビネット内の隅部に前記乾燥装置の反対側に位置して設けられているドラム式洗濯機。」
　　
（３）引用例３（特開平４−３４７１９９号公報）に記載された事項
　引用例３には次の事項が図面とともに記載されている。
シ．「一方、外箱１の上面部にはトップカバー１０を装着しており、このトップカバー１０の背部から外箱１の背部にかけてバックケース１１を設けている。しかして、そのバックケース１１内には、モータ１２を配設すると共に、このモータ１２によって回転駆動されるファン１３、ファン１３を囲繞するケーシング１４、及びケーシング１４の出口部に位置するヒータ特にはＰＴＣヒータ１５を配設しており、そして、そのバックケース１１内からはケーシング１４の出口部に接続した導風ホース１６をトップカバー１０内を通し内槽６内に臨むように導出させていて、上記ファン１３で生成する風をヒータ１５により熱して熱風を生成し、それを導風ホース１６により内槽６内に供給する熱風供給装置１７を構成している。」（段落【００１５】）
　
ス．図１には、断面が略長方形のケーシング１４に、モータ１２とファン１３を同軸に配設し、ヒータ１５と出口部を含めた熱風供給装置１７の全体の輪郭の形状がほぼ長方形である点が記載されている。
　
　上記摘示事項及び図面の記載によれば、引用例３には次の発明が記載されている（以下、「引用発明３」という。）。
「ファン１３、モータ１２、ヒータ１５及び出口部は、略長方形のケーシング１４に設けられ、全体の輪郭の形状がほぼ長方形である、洗濯機の内槽６内に熱風を供給する熱風供給装置。」
　
４．対比・判断
　本願発明と引用発明１とを比較すると、引用発明１の「内槽２７」、は、本願発明の「洗濯槽」に相当し、同様に「筐体２１」は「外筐」に、「下部パネル４８ａ」及び「上部パネル４９ａ」は「トップカバー」に、「内槽内に給水する」は「洗濯槽内に水を注入する」に、「給水部材４１」は「注水部」に、「吸水ポンプ５１と給水弁４３」は「給水部」に、「温風を送風する温風送風装置３３」は「送風部」に、「熱交換部３４の他端と連結」する部分は「吸込口」に、「送風径路３２端部」は「吐出口」に、「乾燥用送風機３０」は「ファン」に、「ヒータ３１」は「ヒータ」に、「洗濯乾燥機」は「洗濯機」に、それぞれ相当する。
　また、引用発明１の温風送風装置３３も、乾燥用送風機３０を駆動するファンモータを有することは明らかである。
　さらに、引用発明１の温風送風装置３３も乾燥送風機３０の周囲にファンケーシングが形成され、これに連なる送風径路３２とで一体的に温風送風装置のケーシングを構成していることは、図面の記載から明らかであり、本願発明の「ファンケーシング」に相当するものといえる。
　したがって、両発明は次の［一致点］で一致し、［相違点］で相違する。
　
［一致点］
　洗濯槽が収納された外箱と、
　前記外箱の上端部に設けられたトップカバーと、
　前記洗濯槽内に水を注入するものであって、箱状の注水ケースからなる注水部と、
　前記注水部に水を供給する給水部と、
　前記洗濯槽内に風を送るものであって、前記トップカバー内に設けられ吸込口および吐出口を有するファンケーシングと前記ファンケーシング内に設けられ前記吸込口から空気を吸引して前記吐出口から吐出するファンと前記ファンケーシングに設けられ前記ファンを駆動するファンモータと前記ファンケーシング内に設けられ前記ファンケーシング内の空気を加熱するヒータを有する送風部を備え、
　前記給水部と前記注水部と前記送風部とは、前記トップカバー内に前記トップカバーの左右方向に沿って左から前記給水部，前記注水部，前記送風部のファン部の順序で配列されていることを特徴とする洗濯機。 
　
［相違点１］ 
　本願発明では、トップカバーが洗濯槽内に洗濯物を投入する投入口を有するのに対し、引用発明１では、該構成が明らかでない点。 
［相違点２］ 
　給水部と注水部と送風部のトップカバー内での配列の順序について、本願発明では、トップカバーの左右方向に沿って左から給水部，注水部，送風部の順序で配列されているのに対して、引用発明１では、トップカバーの左右方向に沿って左から給水部，注水部，送風部の一部である送風機の順序で配列されているが、送風部の他の一部であるヒータ部は注水部の上部にある点。 
［相違点３］本願発明が、「前記吐出口と前記ファンと前記ファンモータと前記ヒータとは、長方形または正方形の四隅部に位置するように前記ファンケーシングに設けられている」構成であるのに対して、引用発明１は、そのような構成がない点。 　　
　以下、この相違点について検討する。
　
・相違点１について
　トップカバーに、洗濯槽内に洗濯物を投入する投入口を設けることは、従来周知〔例えば、特開２００２−１０２５９０号公報（段落【００２１】、図３）、特開２０００−２７９６９４号公報（段落【００２１】、図１）、特開平９−２７６５８８号公報（段落【００１１】、図３）を参照。〕であり、引用発明１に適用することは単なる設計事項である。
　
・相違点２について 
　引用発明２は、ドラム式洗濯機ではあるが、段落【００６１】の「給水ポンプ３６と給水弁６１と注水ケース６６とを乾燥装置９５の反対側に配置した。このため、乾燥装置９５の特に温風ヒータ１０９から給水ポンプ３６のポンプモータ４３に熱影響が作用し難くなるので、ポンプモータ４３の異常昇温が防止され、信頼性が向上する。しかも、ポンプモータ４３の巻線等の絶縁階級を上げる必要がなくなるので、コストが抑えられる。」には、給水ポンプと給水弁と注水ケースと、乾燥装置の温風ヒータとを離すこと、特に温風ヒータからの熱の影響を避けるために給水ポンプとを離すことが記載されている。
　また、引用発明１及び引用発明２は、どちらも給水手段と温風送風装置を有する洗濯機に関する技術分野に属するものである。
　さらに、乾燥用の温風供給手段であるファンとヒータを共に洗濯機の上部の隅に設けることは、従来周知〔例えば、特開２００１−１９８３８５号公報（段落【０００３】〜【０００５】、図１２、図１３）、特開２００２−２３９２８３号公報（段落【００２９】、図１、図２）を参照。〕の技術手段であり、格別な事項ではない。
　してみれば、引用発明１において、引用発明２及び周知の技術手段を適用し、給水弁や吸水ポンプに対して温風送風装置のヒータが熱の影響を与えることを避けるために、ヒータを、給水部材の上方ではなく、給水弁や吸水ポンプと離すべく反対側に位置する乾燥用送風機側の位置に送風径路と共に設けるようにして、相違点２に係る構成とすることは、当業者が容易に想定できたというべきである。
　
・相違点３について
　本願発明と引用発明３とを比較すると、引用発明３の「ヒータ１５」、は、本願発明の「ヒータ」に相当し、同様に「ファン１３」は「ファン」に、「モータ１２」は「ファンモータ」に、「出口部」は「吐出口」に、「ケーシング１４」は「ファンケーシング」に、「洗濯機の内槽６内に熱風を供給する」は「洗濯槽内に風を送る」に、「熱風供給装置１７」は「送風部」に、それぞれ相当する。
　したがって、引用発明３は、「ファンとファンモータとヒータと吐出口とは、ほぼ長方形のファンケーシングに設けられて、全体の輪郭の形状がほぼ長方形である、洗濯槽内に風を送る送風部」といえるものである。
　引用発明３では、ファン１３、モータ１２、ヒータ１５及び出口部が長方形の四隅にはないが、全体の輪郭の形状がほぼ長方形である点については、本願発明の長方形の四隅に設けるものと差異はない。
　そして、設置スペースが限られているとき、設置すべきスペースの大きさや長さに適合するように、モータの性能、ファンの特性やヒータの能力等を必要に応じて設定して小形化することは当業者が通常行う設計事項であり、長方形の四隅に設けることが直ちに小形化することを意味するものとはいえない。
　したがって、引用発明１において温風送風装置として引用発明３の全体の輪郭の形状がほぼ長方形である熱風供給装置を適用し、その大きさや長さを設置スペースに収まるような大きさや長さとすることは当業者が容易になし得たことである。
　また、ファンとファンモータとヒータと吐出口を四隅に設けることは、格別な作用効果はなく、当業者が適宜必要に応じて設定し得た設計事項である。
　
　なお、請求人は、平成１９年８月２７日付けの意見書の「３−２，特徴点２について」において、引用例３はファン１３とヒータ１５と吐出口と導風ホース１６を上下方向に一例に直列に並べたものであり、ファンケーシング１１の長手方向の長さ寸法が大きくなるので、ファンケーシング１１をトップカバー１０の内部に収納することができず、トップカバー１０の外部にファンケーシング１１を背負わせる必要性が発生するから、本願発明の吐出口とファンとファンモータとヒータを長方形または正方形の四隅部に位置するようにファンケーシングに設ける点は、引用例３から得ることができない進歩性がある旨を主張している。
　しかし、引用発明３のケーシング１４は、ファン１３、モータ１２、ヒータ１５及び出口部とともに、全体の輪郭の形状がほぼ長方形に構成されているものであり、その大きさや長さは、モータの性能、ファンの特性やヒータの能力等を必要に応じて設定し小形化することは当業者が通常行う設計事項であることは前述したとおりであり、しかも、本願発明では吐出口の向きは特定されていないし、導風ホースがどの方向に接続されるかも特定していないので、請求人の主張は、請求項の記載に基づくものではないから、採用できない。
　
　また、本願発明の奏する作用効果も、引用発明１、引用発明２、引用発明３及び周知の技術手段の奏する作用効果から、当業者が予測できる範囲のものである。
　したがって、本願発明は、引用発明１、引用発明２、引用発明３及び周知の技術手段に基づいて当業者が容易に発明をすることができたものである。
 　
５．むすび 
　以上のとおり、本願発明は、引用発明１、引用発明２、引用発明３及び周知の技術手段に基づいて当業者が容易に発明をすることができたものであるから、特許法第２９条第２項の規定により特許を受けることができない。 
　よって、結論のとおり審決する。